(57)【要約】【課題】特定ユーザグループがネットワークを介して自己が作成あるいは取得したデータを蓄積してユーザ間で共有し、検索、配信を行う。【解決手段】データ管理サーバ２００において、利用要請識別部２０１はユーザグループ１００所属の一般ユーザ１０１からのシステム利用要請種別を識別し要請に応じた処理を行う。ＩＤ番号認証部２０２は、管理ユーザ１０２からの利用登録を受け付け、ユーザグループ１００に所属する特定ユーザを識別するＩＤ番号やパスワードを決定し、特定ユーザをＩＤ番号やパスワードにより認証する。データ蓄積処理部２０４は、認証された特定ユーザがデータ登録を依頼した場合、受信したデータをＩＤ番号やデータ情報に関連づけてデータ蓄積部２０６に蓄積する。データ検索処理部２０５は、認証された特定ユーザからのデータ検索依頼を受け、データ蓄積部２０６の蓄積データを検索し検索結果を返す。【選択図】  図２
2004164372.tif 000002
【特許請求の範囲】
【請求項１】
特定ユーザグループに所属するユーザによって登録されたデータを蓄積し、前記グループ内での共有を図るサービスを提供する共有データ蓄積配信装置であって、
前記ユーザグループに所属するユーザからの利用要請を受信し、利用要請種別を識別して要請に応じた処理を行う利用要請識別手段と、
前記ユーザグループにおいて、その管理者となるユーザからの利用登録を受け付け、前記ユーザグループに所属する特定ユーザを識別するＩＤ番号あるいはＩＤ番号及びパスワードを決定し、発行するＩＤ番号管理手段と、
前記ＩＤ番号あるいはＩＤ番号及びパスワードの発行を受け、特定ユーザから受信したＩＤ番号あるいはＩＤ番号及びパスワードを認証するＩＤ番号認証手段と、
前記認証された特定ユーザからの利用要請としてデータ登録依頼を受け、受信したデータをＩＤ番号に関連づけて蓄積するデータ蓄積手段と、
前記認証された特定ユーザからの利用要請としてデータ提示依頼を受け、前記蓄積データを提示するデータ提示手段と、
前記認証された特定ユーザからの利用要請としてデータ配信依頼を受け、前記蓄積データを配信するデータ配信手段と、を有する
ことを特徴とする共有データ蓄積配信装置。
【請求項２】
請求項１に記載の共有データ蓄積配信装置であって、
データ蓄積手段は、
データに関連する情報をデータ情報として決定する手段と、
前記ＩＤ番号及び前記データ情報を関連付けた画像、映像、音声、及びテキストの１つの又は２つ以上を複合した電子データを蓄積する手段と、を有する
ことを特徴とする共有データ蓄積配信装置。
【請求項３】
請求項２に記載の共有データ蓄積配信装置であって、
データ蓄積手段における決定する手段は、ユーザの指定するキーワード、管理ユーザによりあらかじめ登録されたキーワード、データ取得時に自動的に取得されるデータの取得時刻、形態、取得場所のいずれか１つ以上をデータ情報とするものである
ことを特徴とする共有データ蓄積配信装置。
【請求項４】
請求項１乃至３のいずれかに載の共有データ蓄積配信装置であって、
データ提示手段は、
特定ユーザからの利用要請としてデータ検索依頼を受け、ユーザが利用可能な蓄積データの中から検索を行うデータ検索手段と、
前記特定ユーザによる該利用履歴を記憶する利用履歴記憶手段と、
前記利用履歴を次回以降の利用時に使用させる手段と、を有する
ことを特徴とする共有データ蓄積配信装置。
【請求項５】
請求項４に記載の共有データ蓄積配信装置であって、
利用履歴記憶手段は、特定ユーザが利用時に使用するＩＤ番号と、蓄積データ、蓄積データ数、データ検索手法の種類、データ検索項目、配信データのいずれか１つ以上を含めて利用履歴情報とするものである
ことを特徴とする共有データ蓄積配信装置。
【請求項６】
請求項４又は５に記載の共有データ蓄積配信装置であって、
データ検索手段は、検索手法として、データに関連付けられたデータ情報とテンプレート情報を検索項目として検索するものとし、利用した際の配信データを新たなテンプレートとして利用履歴に追加する機能を有する
ことを特徴とする共有データ蓄積配信装置。
【請求項７】
請求項１乃至６に記載の共有データ蓄積配信装置であって、
ＩＤ番号管理手段は、
ＩＤ番号発行を受けた前記ユーザグループに所属するユーザに対して利用時の利用料を算出する手段と、
前記利用時の利用料を管理する利用料管理手段と、を有する
ことを特徴とする共有データ蓄積配信装置。
【請求項８】
請求項７に記載の共有データ蓄積配信装置であって、
利用料を算出する手段は、
データ提示あるいはデータ配信機能を利用したユーザに対して利用履歴に応じた利用料を算出する手段と、
データ配信機能の利用時の配信データを登録したユーザに対してペイバック額を算出する手段と、を有する
ことを特徴とする共有データ蓄積配信装置。
【請求項９】
特定ユーザグループに所属するユーザによって登録されたデータを蓄積し、前記グループ内での共有を図るサービスを提供する共有データ蓄積配信方法であって、
前記ユーザグループにおいて、その管理者となるユーザからの利用登録を受け付け、前記ユーザグループに所属する特定ユーザを識別するＩＤ番号あるいはＩＤ番号及びパスワードを決定し、発行するＩＤ番号管理段階と、
前記ＩＤ番号あるいはＩＤ番号及びパスワードの発行を受け、特定ユーザから受信したＩＤ番号あるいはＩＤ番号及びパスワードを認証するＩＤ番号認証段階と、
前記認証された特定ユーザからの利用要請としてデータ登録依頼を受けた場合には、受信したデータをＩＤ番号に関連づけて蓄積するデータ蓄積段階と、
前記認証された特定ユーザからの利用要請としてデータ提示依頼を受けた場合には、前記蓄積データを提示するデータ提示段階と、
前記認証された特定ユーザからの利用要請としてデータ配信依頼を受けた場合には、前記蓄積データを配信するデータ配信段階と、を有する
ことを特徴とする共有データ蓄積配信方法。
【請求項１０】
請求項９に記載の共有データ蓄積配信方法であって、
データ蓄積段階は、
データに関連する情報をデータ情報として決定する段階と、
前記ＩＤ番号及び前記データ情報を関連付けた画像、映像、音声、及びテキストの１つの又は２つ以上を複合した電子データを蓄積する段階と、を有する
ことを特徴とする共有データ蓄積配信方法。
【請求項１１】
請求項１０に記載の共有データ蓄積配信方法であって、
データ蓄積段階における決定する段階では、ユーザの指定するキーワード、管理ユーザによりあらかじめ登録されたキーワード、データ取得時に自動的に取得されるデータの取得時刻、形態、取得場所のいずれか１つ以上をデータ情報とする
ことを特徴とする共有データ蓄積配信方法。
【請求項１２】
請求項９乃至１１のいずれかに載の共有データ蓄積配信方法であって、
データ提示段階は、
特定ユーザからの利用要請としてデータ検索依頼を受け、ユーザが利用可能な蓄積データの中から検索を行うデータ検索段階と、
前記特定ユーザによる該利用履歴を記憶する利用履歴記憶段階と、
前記利用履歴を次回以降の利用時に使用させる段階と、を有する
ことを特徴とする共有データ蓄積配信方法。
【請求項１３】
請求項１２に記載の共有データ蓄積配信方法であって、
利用履歴記憶段階では、特定ユーザが利用時に使用するＩＤ番号と、蓄積データ、蓄積データ数、データ検索手法の種類、データ検索項目、配信データのいずれか１つ以上を含めて利用履歴情報とする
ことを特徴とする共有データ蓄積配信方法。
【請求項１４】
請求項１２又は１３に記載の共有データ蓄積配信方法であって、
データ検索段階では、検索手法として、データに関連付けられたデータ情報とテンプレート情報を検索項目として検索するものとし、利用した際の配信データを新たなテンプレートとして利用履歴に追加する
ことを特徴とする共有データ蓄積配信方法。
【請求項１５】
請求項９乃至１４に記載の共有データ蓄積配信方法であって、
データ配信段階の後に、
ＩＤ番号発行を受けた前記ユーザグループに所属するユーザ対して利用時の利用料を算出する段階と、
前記利用時の利用料を管理する利用料管理段階と、を有する
ことを特徴とする共有データ蓄積配信方法。
【請求項１６】
請求項１５に記載の共有データ蓄積配信方法であって、
利用料を算出する段階は、
データ提示あるいはデータ配信機能を利用したユーザに対して利用履歴に応じた利用料を算出する段階と、
データ配信機能の利用時の配信データを登録したユーザに対してペイバック額を算出する段階と、を有する
ことを特徴とする共有データ蓄積配信方法。
【請求項１７】
請求項９乃至１６のいずれかに記載の共有データ蓄積配信方法における段階を、コンピュータに実行させるためのプログラムとした
ことを特徴とする共有データ蓄積配信プログラム。
【請求項１８】
請求項９乃至１６のいずれかに記載の共有データ蓄積配信方法における段階を、コンピュータに実行させるためのプログラムとし、
該プログラムを、該コンピュータが読み取りできる記録媒体に記録した
ことを特徴とする共有データ蓄積配信プログラムを記録した記録媒体。
【発明の詳細な説明】
【０００１】
【発明の属する技術分野】
本発明は、データ蓄積及びデータ共有システムに関し、特定ユーザグループがネットワークを介して、自己が作成あるいは取得したデータを蓄積してユーザ間で共有し、検索、配信を行うサービスを提供するデータ管理サーバを含む共有データ蓄積配信装置及び共有データ蓄積配信方法に関する。
【０００２】
【従来の技術】
撮像や録音などにより、画像、映像、音声、テキスト及びその複合データをネットワーク上に蓄積し、不特定多数のユーザと共有するシステムにおいては、その内容に含まれる個人情報等に注意し、個人の権利を侵害しないよう十分に配慮することが求められる。従来、ある程度個人情報を有するデータを特定ユーザで共有しようとする際には、ウェブ上でアクセス制限を設けた領域を用意し、利用ユーザグループのメンバーに該領域を公開して、情報及びデータの共有を図る方法が用いられてきた（例えば、特許文献１、特許文献２参照）。また、特定ユーザグループでファイルの共有を行うサービスの提供も知られている（例えば、非特許文献３参照）。
【０００３】
【特許文献１】
特開２００１−２９０９８５号公報
【０００４】
【特許文献２】
特開２０００−３３０８４７号公報
【０００５】
【非特許文献３】
ｙａｈｏｏ！  ｅ−グループ、インターネット＜ＵＲＬ：ｈｔｔｐ：／／ｗｗｗ．ｅｇｒｏｕｐｓ．ｃｏ．ｊｐ／ｉｎｆｏ／ｆｅａｔｕｒｅｓ．ｈｔｍｌ＞
【０００６】
【発明が解決しようとする課題】
データを共有するユーザ数、及びデータの種類、ファイル数が大きくなると、蓄積データの検索機能が必須となる。しかし、個人間でデータ蓄積共有を行うシステムを構築するには、データの蓄積から、管理、検索までの全てを、セキュリティ、ネットワークの技術及び知識を有する管理者が行わなければならないため、限定されたユーザによってのみ構築が可能であった。
【０００７】
また、これらの管理、運営のためには、管理者の労力と時間を要するという問題があった。
【０００８】
さらに、ユーザがシステムを利用する際、あるいは検索を行う際には、使用する情報をその都度入力しなければならず、ユーザの負担も大きかった。
【０００９】
また、従来はデータを共有する際のデータ登録は、データ提供者の善意によるところが多く、個々のユーザの負担に不公平さが生じていた。
【００１０】
本発明は、上記した諸問題を解決し、特定ユーザグループがネットワークを介して、自己が作成あるいは取得したデータを蓄積してユーザ間で共有し、検索、配信を行う共有データ蓄積配信装置及び共有データ蓄積配信方法を提供することが課題である。
【００１１】
【課題を解決するための手段】
上記課題を解決するために、本発明は、特定ユーザグループに所属するユーザによって登録されたデータを蓄積し、前記グループ内での共有を図るサービスを提供する共有データ蓄積配信装置であって、前記ユーザグループに所属するユーザからの利用要請を受信し、利用要請種別を識別して要請に応じた処理を行う利用要請識別手段と、前記ユーザグループにおいて、その管理者となるユーザからの利用登録を受け付け、前記ユーザグループに所属する特定ユーザを識別するＩＤあるいはＩＤ番号及びパスワードを決定し、発行するＩＤ番号管理手段と、前記ＩＤ番号あるいはＩＤ番号及びパスワードの発行を受け、特定ユーザから受信したＩＤ番号あるいはＩＤ番号及びパスワードを認証するＩＤ番号認証手段と、前記認証された特定ユーザからの利用要請としてデータ登録依頼を受け、受信したデータをＩＤ番号に関連づけて蓄積するデータ蓄積手段と、前記認証された特定ユーザからの利用要請としてデータ提示依頼を受け、前記蓄積データを提示するデータ提示手段と、前記認証された特定ユーザからの利用要請としてデータ配信依頼を受け、前記蓄積データを配信するデータ配信手段と、を有することを特徴とする共有データ蓄積配信装置を、その解決の手段とする。
【００１２】
あるいは、上記の共有データ蓄積配信装置であって、データ蓄積手段は、データに関連する情報をデータ情報として決定する手段と、前記ＩＤ番号及び前記データ情報を関連付けた画像、映像、音声、及びテキストの１つの又は２つ以上を複合した電子データを蓄積する手段と、を有することを特徴とする共有データ蓄積配信装置を、その解決の手段とする。
【００１３】
あるいは、上記の共有データ蓄積配信装置であって、データ蓄積手段における決定する手段は、ユーザの指定するキーワード、管理ユーザによりあらかじめ登録されたキーワード、データ取得時に自動的に取得されるデータの取得時刻、形態、取得場所のいずれか１つ以上をデータ情報とするものであることを特徴とする共有データ蓄積配信装置を、その解決の手段とする。
【００１４】
あるいは、上記の共有データ蓄積配信装置であって、データ提示手段は、特定ユーザからの利用要請としてデータ検索依頼を受け、ユーザが利用可能な蓄積データの中から検索を行うデータ検索手段と、前記特定ユーザによる該利用履歴を記憶する利用履歴記憶手段と、前記利用履歴を次回以降の利用時に使用させる手段と、を有することを特徴とする共有データ蓄積配信装置を、その解決の手段とする。
【００１５】
あるいは、上記の共有データ蓄積配信装置であって、利用履歴記憶手段は、特定ユーザが利用時に使用するＩＤ番号と、蓄積データ、蓄積データ数、データ検索手法の種類、データ検索項目、配信データのいずれか１つ以上を含めて利用履歴情報とするものであることを特徴とする共有データ蓄積配信装置。
【００１６】
あるいは、上記の共有データ蓄積配信装置であって、データ検索手段は、検索手法として、データに関連付けられたデータ情報とテンプレート情報を検索項目として検索するものとし、利用した際の配信データを新たなテンプレートとして利用履歴に追加する機能を有することを特徴とする共有データ蓄積配信装置を、その解決の手段とする。
【００１７】
あるいは、上記の共有データ蓄積配信装置であって、ＩＤ番号管理手段は、ＩＤ番号発行を受けた前記ユーザグループに所属するユーザに対して利用時の利用料を算出する手段と、前記利用時の利用料を管理する利用料管理手段と、を有することを特徴とする共有データ蓄積配信装置を、その解決の手段とする。
【００１８】
あるいは、上記の共有データ蓄積配信装置であって、利用料を算出する手段は、データ提示あるいはデータ配信機能を利用したユーザに対して利用履歴に応じた利用料を算出する手段と、データ配信機能の利用時の配信データを登録したユーザに対してペイバック額を算出する手段と、を有することを特徴とする共有データ蓄積配信装置を、その解決の手段とする。
【００１９】
あるいは、特定ユーザグループに所属するユーザによって登録されたデータを蓄積し、前記グループ内での共有を図るサービスを提供する共有データ蓄積配信方法であって、前記ユーザグループにおいて、その管理者となるユーザからの利用登録を受け付け、前記ユーザグループに所属する特定ユーザを識別するＩＤ番号あるいはＩＤ番号及びパスワードを決定し、発行するＩＤ番号管理段階と、前記ＩＤ番号あるいはＩＤ番号及びパスワードの発行を受け、特定ユーザから受信したＩＤ番号あるいはＩＤ番号及びパスワードを認証するＩＤ番号認証段階と、前記認証された特定ユーザからの利用要請としてデータ登録依頼を受けた場合には、受信したデータをＩＤ番号に関連づけて蓄積するデータ蓄積段階と、前記認証された特定ユーザからの利用要請としてデータ提示依頼を受けた場合には、前記蓄積データを提示するデータ提示段階と、前記認証された特定ユーザからの利用要請としてデータ配信依頼を受けた場合には、前記蓄積データを配信するデータ配信段階と、を有することを特徴とする共有データ蓄積配信方法を、その解決の手段とする。
【００２０】
あるいは、上記の共有データ蓄積配信方法であって、データ蓄積段階は、データに関連する情報をデータ情報として決定する段階と、前記ＩＤ番号及び前記データ情報を関連付けた画像、映像、音声、及びテキストの１つの又は２つ以上を複合した電子データを蓄積する段階と、を有することを特徴とする共有データ蓄積配信方法を、その解決の手段とする。
【００２１】
あるいは、上記の共有データ蓄積配信方法であって、データ蓄積段階における決定する段階では、ユーザの指定するキーワード、管理ユーザによりあらかじめ登録されたキーワード、データ取得時に自動的に取得されるデータの取得時刻、形態、取得場所のいずれか１つ以上をデータ情報とすることを特徴とする共有データ蓄積配信方法を、その解決の手段とする。
【００２２】
あるいは、上記の共有データ蓄積配信方法であって、データ提示段階は、特定ユーザからの利用要請としてデータ検索依頼を受け、ユーザが利用可能な蓄積データの中から検索を行うデータ検索段階と、前記特定ユーザによる該利用履歴を記憶する利用履歴記憶段階と、前記利用履歴を次回以降の利用時に使用させる段階と、を有することを特徴とする共有データ蓄積配信方法を、その解決の手段とする。
【００２３】
あるいは、上記の共有データ蓄積配信方法であって、利用履歴記憶段階では、特定ユーザが利用時に使用するＩＤ番号と、蓄積データ、蓄積データ数、データ検索手法の種類、データ検索項目、配信データのいずれか１つ以上を含めて利用履歴情報とすることを特徴とする共有データ蓄積配信方法を、その解決の手段とする。
【００２４】
あるいは、上記の共有データ蓄積配信方法であって、データ検索段階では、検索手法として、データに関連付けられたデータ情報とテンプレート情報を検索項目として検索するものとし、利用した際の配信データを新たなテンプレートとして利用履歴に追加することを特徴とする共有データ蓄積配信方法を、その解決の手段とする。
【００２５】
あるいは、上記の共有データ蓄積配信方法であって、データ配信段階の後に、ＩＤ番号発行を受けた前記ユーザグループに所属するユーザに対して利用時の利用料を算出する段階と、前記利用時の利用料を管理する利用料管理段階と、を有することを特徴とする共有データ蓄積配信方法を、その解決の手段とする。
【００２６】
あるいは、上記の共有データ蓄積配信方法であって、利用料を算出する段階は、データ提示あるいはデータ配信機能を利用したユーザに対して利用履歴に応じた利用料を算出する段階と、データ配信機能の利用時の配信データを登録したユーザに対してペイバック額を算出する段階と、を有することを特徴とする共有データ蓄積配信方法を、その解決の手段とする。
【００２７】
あるいは、上記の共有データ蓄積配信方法における段階を、コンピュータに実行させるためのプログラムとしたことを特徴とする共有データ蓄積配信プログラムを、その解決の手段とする。
【００２８】
あるいは、上記の共有データ蓄積配信方法における段階を、コンピュータに実行させるためのプログラムとし、該プログラムを、該コンピュータが読み取りできる記録媒体に記録したことを特徴とする共有データ蓄積配信プログラムを記録した記録媒体を、その解決の手段とする。
【００２９】
本発明では、ユーザグループにおいて、その管理者となるユーザからの利用登録を受け付け、前記ユーザグループに所属する特定ユーザを識別するＩＤ番号あるいはＩＤ番号とパスワードを決定し、発行しておき、そのユーザグループに所属するユーザからの利用要請を受けた際には、受信したＩＤ番号あるいはＩＤ番号とパスワードを認証し、認証された特定ユーザに対して利用要請種別を識別してその要請に応じて、データ登録依頼であれば、受信したデータをＩＤ番号やデータ情報に関連づけて蓄積し、データ提示依頼、具体的には検索依頼であれば、ユーザが利用可能な蓄積データの中から検索を行い、データ配信依頼であれば、蓄積データを配信することにより、セキュリティ、ネットワークの技術及び知識を有する限定された管理者ユーザがいなくとも、特定のユーザグループ内でデータを蓄積して共有し、検索、配信のサービスを受けることを可能とする。ユーザグループの管理者は、サービス利用に際しての利用登録要請と、必要に応じてデータ情報となるキーワードの登録を行うのみでよいため、ユーザヘのサービス提供のための労力と時間が軽減される。
【００３０】
また、本発明では、特定ユーザによる当該利用履歴を記憶し、前記利用履歴を次回以降の利用時に使用できるようにすることにより、利用する際に使用する情報は利用履歴として記憶されるようにし、次回以降には選択使用を可能とし、使用情報の入力の負担を軽減させる。
【００３１】
また、テンプレート情報の例示によるデータの検索、配信時には、配信データの当該箇所を新たにテンプレートに追加登録することにより、常に最新の情報を用いることができるようにする。
【００３２】
また、利用履歴情報及び検索手法に応じて利用料を設定し、支払われた利用料を、配信対象となったデータを登録したユーザにペイバックすることにより、データ登録時の負担による不公平さを軽減する。
【００３３】
【発明の実施の形態】
以下、本発明の実施の形態について図を用いて詳細に説明する。なお、以下では、サーバ装置は単にサーバと、端末装置は単に端末と呼ぶ。
【００３４】
図１は、本発明の一実施形態例による共有データ蓄積配信システム構成の概略を示す図である。ここで、ユーザグループ１００はシステムを利用する特定のグループを指すものとし、グループの代表となる管理ユーザ１０１及び一般のユーザを含むものとする。また、一般のユーザ中の任意の１個人を一般ユーザ１０２と記すことにする。
【００３５】
共有データ蓄積配信システムは、ユーザグループ１００によって使用されるデジタルカメラや音声取得装置などに代表されるデータ取得装置３００、コンピュータ等のユーザ端末４００及び蓄積データ、キーワード等の蓄積データに関連するデータ情報の管理を行うデータ管理サーバ２００、ユーザデータベース２１０、利用料データベース２２０、及びデータ管理サーバ２００とユーザ端末４００を接続するネットワーク５００とで構成されている。
【００３６】
データ取得装置３００は、カメラで撮影した画像、ビデオカメラで撮影された映像、マイクで取得された音声、画像をスキャナで取り込んだもの、コンピュータ上で図形等を描画した画像やマイクや他のメディアから取得された音声、携帯電話で取得した画像、映像、音楽、音声等であるものとし、これらにより取得されたデータを、コンピュータや携帯電話、あるいはネットワーク配信機能付きの機器等のユーザ端末４００を用いることにより、ネットワーク５００を介してデータ管理サーバ２００に蓄積するものとする。
【００３７】
データ管理サーバ２００では、ＩＤ番号の発行、認証及びデータの蓄積、検索を行う。ユーザデータベース２１０では、一般ユーザ１０２のシステム利用履歴の管理を行い、画像の検索、配信により生じる利用料は、利用料データベース２２０で算出、管理する。このため、利用料データベース２２０は、ＩＤ番号発行を受けたユーザグループに所属するユーザに対して利用時の利用料を算出する手段と、この利用時の利用料を管理する利用料管理手段とを有する。ここで、利用料を算出する手段は、データ検索あるいはデータ配信を利用したユーザに対して利用履歴に応じた利用料を算出する手段と、データ配信利用時の配信データを登録したユーザに対してペイバック額を算出する手段とを有する。ただし、ここでの利用料は、口座振込みなどの通貨で行ってもよいし、このシステムで利用できるポイントとしてユーザデータベース２１０に貯蓄されるようにしてもよい。
【００３８】
図２は、本発明の一実施形態例による共有データ蓄積配信システムのデータ管理サーバ２００の処理構成を示すブロック図である。データ管理サーバ２００は、利用要請識別部２０１、ＩＤ番号発行部２０２、ＩＤ番号認証部２０３、データ蓄積処理部２０４、データ検索処理部２０５、データ蓄積部２０６で構成される。
【００３９】
利用要請識別部２０１では、ユーザからの利用要請を受け、利用要請の依頼種別に応じた処理モジュールを呼び出す。具体的には、ＩＤ番号未発行のユーザからのＩＤ番号発行依頼の場合には、ＩＤ番号発行部２０２を呼び出す。ＩＤ番号所有ユーザからのサービス利用依頼の場合は、ＩＤ番号認証部２０３を呼び出す。また、ＩＤ番号認証後、依頼内容がデータ蓄積であればデータ蓄積処理部２０４、データ検索であれば、データ検索処理部２０５を呼び出し、処理を行う。
【００４０】
ＩＤ番号発行部２０２では、システムを使用するユーザグループ１００にこれまで使用されていないユニークなＩＤ番号を決定し、発行する。
【００４１】
ＩＤ番号認証部２０３では、一般ユーザ１０２により送信されたＩＤ番号からユーザグループ１００の認識を行う。
【００４２】
データ蓄積処理部２０４では、ＩＤ番号発行部２０２で発行されたＩＤ番号に蓄積データ及びデータ情報を対応づけてデータ蓄積部２０６に蓄積する。
【００４３】
データ検索処理部２０５では、データ蓄積部２０６の蓄積データの検索を行い、検索結果としてサンプルデータをリストアップして一般ユーザ１０２のユーザ端末４００で表示する手段と共に、配信希望データの配信を行う手段を有する。
【００４４】
図３は、本発明の一実施形態例による共有データ蓄積配信システムのデータ管理サーバ２００及びユーザグループ１００間の処理を示す図である。
【００４５】
ユーザから利用要請があった場合、利用要請識別部２０１で、依頼種別を識別し、登録要請時にはＩＤ番号発行部２０２を、システム利用要請時にはＩＤ番号認証部２０３を呼び出す。
【００４６】
ＩＤ番号発行部２０２は、ユーザ１００を代表する管理ユーザ１０１からの利用登録要請を受け、ユーザグループ１００に固有のＩＤ番号を決定し、発行する。なお、ＩＤ番号と共にユーザに固有のパスワードを決定し、発行しても良い。
【００４７】
ＩＤ番号認証部２０３では、一般ユーザ１０２からのデータ登録依頼や、検索依頼受信に対して、ＩＤ番号を用いてそのユーザが所属するユーザグループ１００の識別やユーザの認証を行う。
【００４８】
データ蓄積処理部２０４では、一般ユーザ１０２により送信されてきたデータの蓄積を行う。その際、一般ユーザ１０２のＩＤ番号と一般ユーザや管理ユーザにより指定されたキーワード等のデータ情報、又は自動的に取得されたデータ情報（データの取得時刻、形態、取得場所等）の１つ以上をデータに関連付けてデータ蓄積部２０６に蓄積する。
【００４９】
データ検索処理部２０５では、一般ユーザ１０２によるデータ検索依頼を受けた際、ＩＤ番号や検索のキーワード等から当該データの検索を行う。また、検索結果データのサンプルリストを作成し、一般ユーザ１０２のユーザ端末４００に送信を行う。
【００５０】
図４は、本共有データ蓄積配信システムにおける処理を示す図である。データ管理サーバ２００では、次のような各処理を行う。
【００５１】
ＩＤ番号発行の場合（図４（ａ））
ステップ１：ユーザＩＤ番号発行依頼を受信。
ステップ２：固有のＩＤ番号を発行。
【００５２】
データ検索、配信の場合（図４（ｂ））
ステップ１：システム利用依頼受信におけるユーザＩＤ番号を認証。
ステップ２：データ登録依頼であるか、検索依頼であるかの判別を行い、登録依頼の場合にはステップ３へ、検索依頼の場合にはステップ６へ進む。
ステップ３：データにデータ情報を関連付けて登録。
ステップ４：ユーザ１０２の利用履歴として、ステップ３を記憶。
ステップ５：データの登録依頼が引き続きあった場合にはステップ３へ、それ以外は終了。
ステップ６：ユーザ１０２の指定する検索方法によりデータを検索。
ステップ７：ユーザ１０２の利用履歴として、ステップ６を記憶。
ステップ８：ユーザ１０２の端末に検索結果を表示させる。
ステップ９：データ検索結果の配信依頼を受けた場合ステップ１０へ、配信依頼がない場合にはステップ１２へ進む。
ステップ１０：ユーザ１０２に配信依頼を受けたデータを配信。
ステップ１１：ユーザ１０２の利用履歴として、ステップ１０を記憶。
ステップ１２：データの検索依頼が引き続きあった場合にはステップ６へ、それ以外は終了。
【００５３】
図５は、本共有データ蓄積配信システムにおけるデータ登録時、データ検索時にユーザ端末側で行われる処理の流れを示す図である。具体的なステップを以下に示す。
【００５４】
データ登録時は、以下のステップである（図５（ａ））。
ステップ１：データ登録要請を送信。
ステップ２：データ取得時刻、場所、データの種類をデータ情報として選択入力。
ステップ３：キーワード登録がある場合はステップ４へ、それ以外はステップ５へ進む。
ステップ４：キーワードを選択入力。
ステップ５：データ及びデータ情報をデータ管理サーバ２００へ送信。
ステップ６：データ登録を続ける場合にはステップ２へ、それ以外は終了。
【００５５】
データ検索時は、以下のステップである（図５（ｂ））。
ステップ１：データの検索要請を送信。
ステップ２：キーワード、データ情報等を入力。
ステップ３：テンプレート検索を行う場合にはステップ４、それ以外はステップ５に進む。
ステップ４：例示データを指定、あるいは入力。
ステップ５：データの検索手段、キーワード等の情報をデータ管理サーバ２００に送信。
ステップ６：データの検索結果を受信。
ステップ７：検索結果の中に配信を希望するデータが存在する場合にはステップ８、それ以外はステップ９に進む。
ステップ８：配信を希望するデータを指定し、データ管理サーバ２００へ配信依頼を行う。
ステップ９：データ検索を続ける場合にはステップ１へ、それ以外は終了。
【００５６】
なお、検索においては、データ管理サーバ２００はデータに関連付けされているデータ情報と、指定されたキーワードやデータ情報を照合し、一致するものを検索結果とする。例示データによる検索においては、蓄積データ中に例示データと類似するデータを検索し、例えば顔画像を例示画像とした場合、特開平７−３０２３３７号公報に示される技術等を用いて特定の人物検出を行い、類似する画像を候補順に挙げ、音声データの場合には、音声データを基に話者認識を行い、特開１９９４−９５６９０号公報等を用いて特定の話者のデータの候補を挙げてもよい。
【００５７】
図６は、画像データを例として、一般ユーザ１０２によるデータ蓄積時、及びデータ検索時の画面の一例を示す。
【００５８】
画像送信時、図６（ａ）中の画面１において、登録する画像をＩＤ番号とキーワード番号等のデータ情報を付加して、データ管理サーバ２００へ送信する。
【００５９】
画像検索時、図６（ｂ）中の画面２において、自己のＩＤ番号及び検索したい画像の属するキーワードを入力する。ここで、既定のキーワード、撮像情報、例示画像といった検索項目を１つ以上任意に選択し、送信することによって検索条件の指定を行うものとする。
【００６０】
データ管理サーバ２００のデータ検索処理部２０５より受信した検索結果のサムネイル画像を、図６（ｂ）中の画面３のようにリスト表示して一般ユーザ１０２に提示する。さらに特定の画像が指定された場合には、同画面４のように個別の撮像情報と共に表示するものとする。また、配信希望の有無は、この提示結果を基にするものとする。
【００６１】
図６（ｃ）に、画像検索時のキーワード指定画面の例を示す。例えば、管理ユーザ１０１により、あらかじめキーワードが登録されている場合には、図６（ｃ）中の画面５に示されるようなインターフェースを利用して、既定のキーワード番号を選択入力する。また、画像を取得した日時が既知の場合には、同画面６に示されるようなインターフェースを利用して、カレンダー等から日時指定入力を行う。画像の撮像手段が既知の場合にも、同画像７に示されるように選択指定する。さらに、特定の人や物が撮影されている画像が欲しい等、画像中の情報に着目して検索を行いたい場合には、既存の画像をテンプレート画像として例示することによって、検索を行う。図６（ｃ）中の画面８は、ファイルのツリー表示の中からテンプレート画像となるファイルを選択している画面を示す。
【００６２】
図７は、ユーザ端末におけるテンプレート検索利用時のテンプレート情報登録の流れを示す。具体的な流れは、以下のステップである。
ステップ１：既に登録されているデータを用いて検索を行う場合にはステップ３へ、新規にテンプレートを指定する場合にはステップ２へ進む。
ステップ２：新規に指定されたテンプレートを登録。
ステップ３：データ蓄積部２０６より、テンプレートを利用したデータ検索を行う。
ステップ４：データ検索処理部で生成された検索結果を、端末に表示。
ステップ５：データの配信を希望する場合にはステップ６へ、それ以外はステップ７へ進む。
ステップ６：配信データ中のテンプレートと相似する箇所をテンプレートとして再登録。
ステップ７：検索を続ける場合にはステップ１へ戻る。その際、前記のステップ６で登録されたデータを新たなテンプレートとして用いることも可能。それ以外は終了。
【００６３】
例として、扱うデータが画像であった場合をあげる。特定の人物が映し出されている画像の検索に、その人物の顔画像を使用したとする。このとき、この特定人物の検索が初回であれば、顔画像の登録を行い、２回目以降であれば前回登録した顔画像を選択使用することができるようになる。また、検索結果の配信を希望した場合には、配信対象となった画像中の該当人物の部分を新たなテンプレートとして追加登録することができ、登録すれば次回以降の検索に使用可能となる。再登録を繰り返すことで、例えば経年変化を伴うような人物画像に対しても、検索の精度をあげることができる。
【００６４】
図８（ａ），（ｂ）は、本共有データ蓄積配信システム及びユーザ間の処理のダイアグラムを示す。
【００６５】
管理ユーザ１０１からＩＤ番号の発行要請を受け、データ管理サーバ２００より、そのユーザグループに固有のＩＤ番号を発行する。ここで、発行するＩＤ番号に付随するユーザ毎のパスワードを併せて発行する。管理ユーザ１０１により、あらかじめ検索項目に使用するデータ情報を登録する場合には、ＩＤ番号発行後、蓄積データの検索時に有効となるキーワード等のデータ情報をデータ管理サーバ２００に登録する。
【００６６】
管理ユーザ１０１は、登録が完了した時点で、一般ユーザ１０２へＩＤ番号やパスワード及び、キーワードの登録を行った場合にはそのキーワードを通知する（図８（ａ））。
【００６７】
データ管理サーバ２００にアクセスする際、一般ユーザ１０２は、ＩＤ番号やパスワードを送信する。データ管理サーバ２００では、ＩＤ番号認証部２０３によりユーザ１０２の所属するグループの識別を行い、パスワード等によりユーザ認証を行った上で、システムの利用を許可する。
【００６８】
データ蓄積時には、データをデータ管理サーバ２００へ送信し、データ蓄積部２０６に登録する。また、管理ユーザ１０１によるキーワード登録がなされている場合には、データにキーワードを選択付与する。
【００６９】
データ検索時には、検索したいデータの既定のキーワードや、データ取得時刻、形態、取得場所等のデータ情報、テンプレートとなるデータを任意に指定しデータ管理サーバ２００ヘ送信する。データ検索処理部２０５では、検索を行い、検索結果はサンプル形式のリストとして、ユーザ端末４００に送信する。ユーザ端末４００では、検索結果に配信を希望するデータが存在した場合には、データを指定しての配信依頼をデータ管理サーバ２００へ送信する。配信依頼を受信したデータ管理サーバ２００は配信依頼を受けた蓄積データをユーザ端末４００へ送信する（図８（ｂ））。
【００７０】
ただし、ＩＤ番号の発行及び蓄積データの検索、配信は有料で行うものとし、図８ではこれらシステム利用料の処理は省略している。
【００７１】
図９は、本共有データ蓄積配信システムにおける利用料の処理を示す図である。データ管理サーバ２００では、次のような各処理を行う。
【００７２】
ＩＤ番号発行の場合（図９（ａ））
ステップ１：ユーザＩＤ番号発行依頼を受信。
ステップ２：固有のＩＤ番号を発行。
ステップ３：ＩＤ番号発行に伴う利用料を利用料データベース２２０に登録。
【００７３】
データ検索、配信の場合（図９（ｂ））
ステップ１：システム利用依頼受信におけるユーザＩＤ番号を認証。
ステップ２：データ登録依頼であるか、検索依頼であるかの判別を行い、登録依頼の場合にはステップ３へ、検索依頼の場合にはステップ７へ進む。
ステップ３：データにＩＤ番号、登録ユーザ１０２、データ情報等キーワードを関連付けて登録。
ステップ４：ユーザ１０２のデータ登録回数のカウントを１加算。
ステップ５：データの登録依頼が引き続きあった場合にはステップ３へ、それ以外は終了。
ステップ６：ユーザ１０２のデータ検索回数のカウントを１加算。
ステップ７：検索に使用された検索手法を記憶。
ステップ８：検索手法と、システム利用履歴から利用料の算出を行い、利用料データベース２２０登録。ただし、システム利用履歴は、ユーザ１０２と関連付けて登録されている、データ登録・検索・配信のデータ数等の情報であるとする。
ステップ９：データ検索結果の配信依頼を受けた場合ステップ１０へ、配信依頼がない場合にはステップ１１へ進む。
ステップ１０：ユーザ１０２のデータ配信回数のカウントを１加算。
ステップ１１：システム利用履歴から利用料の算出を行い、ユーザデータベース２２０に登録。
ステップ１２：データの検索依頼が引き続きあった場合には、ステップ６へ、それ以外は終了。
【００７４】
データ登録の場合（図９（ｃ））
ステップ１：配信したデータの過去の配信回数を参照する。
ステップ２：データの過去の配信記録をもとにペイバック額の算出を行う。
ステップ３：データを登録したユーザヘのペイバックを、利用料データベース２２０に登録する。
【００７５】
ただし、利用料及びペイバックは、利用料データベース２２０で算出されるものであり、その形式は口座振込みなどの通貨で行ってもよいし、データ管理サーバ２００による次回以降のデータ検索、配信に使用できるポイントとして貯蓄されるようにしてもよい。
【００７６】
図１０は、本共有データ蓄積配信システムにおける利用料管理の一例を示す。
【００７７】
データ管理サーバ２００に支払われるデータの検索、配信に対する利用料は、データを登録したユーザヘのペイバックを含めてユーザ及びこのシステムを管理する事業者の項目で記録されるものとする（図１０（ａ））。
【００７８】
例えば、ユーザグループαに属するユーザＡが検索条件Ｘの基にデータ検索を行い、ユーザＢによって登録されたデータの配信を受けた場合、ユーザＡは検索によって発生した利用料をシステムを管理する事業者に１００ポイント支払うとする。このとき、事業者は配信したデータの過去の配信回数を参照し、それに応じたペイバック額を算出する。配信回数が多いほど、ペイバック額が高くなるようにし、受け取った１００ポイントのうちからデータ登録者Ｂへのペイバック、ここでは５０ポイントを支払うとする。このとき、ユーザＡの所持ポイントはマイナス１００、ユーザＢは５０、事業者は５０ポイントとなる。また、配信されたデータの登録ユーザヘのペイバックを貯蓄する際には、利用料データベース２２０に、貯蓄を行う（図１０（ｂ））。
【００７９】
ユーザＡが複数のユーザグループ１００に所属している場合、ユーザデータベース２１０では、ユーザＡが全てのグループにおいて貯蓄、使用したポイントを合計し、所持ポイントとして管理する。前記の例のユーザＡが、ユーザグループαの他に、ユーザグループβにも所属し、そこでのペイバックで４００ポイントを獲得していたとすると、ユーザデータベース２１０で管理されるユーザＡの所持ポイントは、ユーザグループαでのマイナス１００ポイントに、ユーザグループβの４００ポイントを加算し、合計で３００ポイントとして保存される。
【００８０】
なお、図２、及び図３で示したサーバ装置及び端末装置の各部の一部もしくは全部の処理機能を、各装置を構成しているコンピュータ等の演算処理手段や制御手段を用いて実現できること、あるいは、図４、図５、図７、図８、及び図９で説明した処理の手順やステップをサーバ装置及び端末装置のコンピュータ等に実行させることができることは言うまでもなく、コンピュータ等でその各部の処理機能を実現するためのプログラム、あるいは、コンピュータ等にその処理の手順やステップを実行させるためのプログラムを、そのコンピュータ等が読み取り可能な記録媒体、例えば、フレキシブルディスクや、ＭＯ、ＲＯＭ、メモリカード、ＣＤ、ＤＶＤ、リムーバルディスクなどに記録して、保存したり、提供したりすることが可能であり、また、インターネットのような通信ネットワークを通じて、該プログラムを提供したりすることが可能である。このようにして記録媒体や通信ネットワークにより提供されたプログラムを、サーバ装置や端末装置を構成しているコンピュータ等の演算処理手段や制御手段にインストールすることで、本発明が実施可能となる。
【００８１】
【発明の効果】
以上説明したように、本発明によれば、管理ユーザが煩雑な作業を行うことなく、特定のユーザグループ内で、データを共有することが可能になる。
【００８２】
また、ユーザのシステム利用履歴情報を次回以降のシステム利用時に使用させるようにしたので、ユーザの情報入力負担を軽減することができる。
【００８３】
また、データの検索、配信に対して利用料を課し、配信対象となるデータを登録したユーザに対してペイバックを行うようにしたので、ユーザ間のデータ登録負担等の不公平さを解決することができる。
【００８４】
さらに、このペイバック額はデータ毎にカウントされる配信回数によって設定することで、登録データの質の向上、モチベーションの向上が期待できる。
【図面の簡単な説明】
【図１】本発明による共有データ蓄積配信システムの全体構成の概略を示す図である。
【図２】本発明による共有データ蓄積配信システムにおけるデータ管理サーバの構成を示す図である。
【図３】本発明による共有データ蓄積配信システムのデータ管理サーバにおける処理を示す図である。
【図４】（ａ），（ｂ）は、本発明による共有データ蓄積配信システムの処理の概略を示す図である。
【図５】（ａ），（ｂ）は、本発明による共有データ蓄積配信システムにおけるデータ蓄積時、データ検索時のユーザ側、サーバ側での処理の流れを示す図である。
【図６】（ａ），（ｂ），（ｃ）は、本発明による共有データ蓄積配信システムにおける蓄積データ送信時、及びデータ検索時の表示形式の一例を示す図である。
【図７】本発明による共有データ蓄積配信システムにおけるテンプレート検索時の使用テンプレート情報登録の流れを示す図である。
【図８】（ａ），（ｂ）は、本発明による共有データ蓄積配信システム及びユーザ間の処理のダイアグラムを示す図である。
【図９】（ａ），（ｂ），（ｃ）は、本発明による共有データ蓄積配信システムにおける利用料設定処理を示す図である。
【図１０】本発明による共有データ蓄積配信システムにおける利用料管理の一例を示す図である。
【符号の説明】
１００…ユーザグループ
１０１…管理ユーザ
１０２…一般ユーザ
２００…データ管理サーバ
２０１…利用要請識別部
２０２…ＩＤ番号発行部
２０３…ＩＤ番号認証部
２０４…データ蓄積処理部
２０５…データ検索処理部
２０６…データ蓄積部
２１０…ユーザデータベース
２２０…利用料データベース
３００…データベース取得装置
４００…ユーザ端末
５００…ネットワーク
【図１】
2004164372.tif 000003
【図２】
2004164372.tif 000004
【図３】
2004164372.tif 000005
【図４】
2004164372.tif 000006
【図５】
2004164372.tif 000007
【図６】
2004164372.tif 000008
【図７】
2004164372.tif 000009
【図８】
2004164372.tif 000010
【図９】
2004164372.tif 000011
【図１０】
2004164372.tif 000012